(57)【特許請求の範囲】
【請求項１】
遮蔽部を備える差込接続装置、特に１列または多列の雄型コネクタと雌型コネクタとで構成された多極の差込接続装置であって、前記雄型コネクタ（３０）は少なくとも１つの第1の接触部材（３８）を有し、前記雌型コネクタ（４０；４００）は、前記第1の接触部材（３８）に対応する少なくとも１つの第２の接触部材（８０）を有しており、前記差込接続装置の遮蔽部は、前記雌型コネクタ（４０；４００）の外側の本体領域の表面または内部に少なくとも部分的に配置された遮蔽薄板（７０）と、前記雄型コネクタ（３０）内に配置された少なくとも１つの第１の部材（１）を有する遮蔽グループを備えている差込接続装置において、
前記遮蔽グループの第１の部材が、基本形状が、いずれも完全に平らに形成された後壁（２）と、左側の側壁（４）と、右側の側壁（３）とを有するＵ字型のレールである基本部分（１）であり、該遮蔽部材（１）は頭部領域（５）と脚部領域（６）でそれぞれ開いており、
前記基本部分（１）は前記雄型コネクタ（３０）の台座（３１）に取り付けられ、前記雌型コネクタ（４０）の方向に前記台座（３１）から上方に突き出て、少なくとも１つの接触ピン（３８）を３つの方向から囲んでいる
ことを特徴とする、遮蔽部を備える差込接続装置。
【請求項２】
前記遮蔽グループが、前記雄型コネクタ（３０）内に配置された前記基本部分（１）と、前記雌型コネクタ（４０；４００）の差込み領域内に設けられた対抗部分（２０）とで構成されている、請求項１記載の差込接続装置。
【請求項３】
前記遮蔽グループの前記対抗部分（２０）が、前記雌型コネクタ（４０；４００）の前記遮蔽薄板（７０）の一体化された構成要素である、請求項２記載の差込接続装置。
【請求項４】
前記遮蔽グループの前記基本部分（１）が前記雄型コネクタ（３０）の少なくとも１つの接触ピン（３８）、特に２つの接触ピン（３８）を実質的にほぼ完全に、有利には上方に向いている間隙を残しながら側方で包囲して他の接触部材（３８）に対して遮蔽している、請求項１から３までのいずれか１項記載の差込接続装置。
【請求項５】
前記基本部分（１）が、前記雄型コネクタ（３０）の接触列の隣接する２つの接触ピン（３８）を包囲しており、この両方の接触ピン（３８）は前記接触列のそれぞれ隣接する別の接触部（３８）に向かって遮蔽され、かつ接触ピン（３８）の次の列に対しても遮蔽されている、請求項１から３までのいずれか１項記載の差込接続装置。
【請求項６】
前記側壁（３および４）が前記脚部領域（６）で前記頭部領域（５）の方向へ若干引っ込んでおり、それによって前記後壁（２）にウェブ状の段差部（７）が生じている、請求項１、２、４、５のいずれか１項記載の差込接続装置。
【請求項７】
ウェブ状の段差部（７）の領域に、前記後壁（２）の内面にある下側のエッジの付近に少なくとも１つの窪み（８）が設けられている、請求項６記載の差込接続装置。
【請求項８】
前記基本部分（１）の前記側壁（３および４）が前記頭部領域（５）に、側方のオフセット（１６）の分だけそれぞれ外方に曲げられたそれぞれ１つのコーナー部分（１０ないし１１）を有している、請求項１から７までのいずれか１項記載の差込接続装置。
【請求項９】
前記コーナー部分（１０ないし１１）がそれぞれ曲げ線（１５）で外方に曲げられており、それにより、前記側壁（３）ないし前記側壁（４）の水平および垂直な外側エッジで形成されたそれぞれ上側のコーナーがもっとも外方に位置している、請求項８記載の差込接続装置。
【請求項１０】
前記コーナー部分（１０）および前記コーナー部分（１１）の上側の外側の水平なエッジが、それぞれ前記エッジに沿って延びる面取部（１２ないし１３）を備えており、前記後壁（２）の上側の内側のエッジも同じく面取部（１４）を有している、請求項８または９記載の差込接続装置。
【発明の詳細な説明】
【０００１】
本発明は、電子部品や電子モジュール、特に配線板の電気回線を相互に、有利には取外し可能に接続可能である、遮蔽部を備える差込接続装置に関し、特に１列または多列の有利には雄型コネクタと雌型コネクタとで構成された多極の差込接続装置に関する。
【０００２】
公知の差込接続装置では、１極または多極の差込接続装置のための遮蔽部は、プラグ部および／またはブッシュ部、すなわち雄型コネクタおよび／または雌型コネクタが、外側または内側でそのケーシング部に取り付けられた広面積の遮蔽薄板を備えるように構成されている。このような種類の遮蔽は、外部からプラグ部に作用する妨害信号の場合には有効である。
【０００３】
特に多列に、しかも冒頭に述べた用途のために多極に設けられた差込接続装置に配置される個々の接触部材を遮蔽するためには、特に回線を接続する接触部材を通して高周波信号が伝送される場合、公知のやり方の遮蔽は有効ではない。前述した差込接続装置の利用者からは、この点に関して常に高い要求が課せられており、それと同時に、より低い製造コスト、ならびに接触間隔や差込接続装置サイズの小型化が絶えず求められている。
【０００４】
したがって、本発明の目的は、遮蔽部を備える差込接続装置、特に１つまたは複数の雄型コネクタと雌型コネクタからなる差込接続装置を改良して、いわゆる２ｍｍ差込接続装置でそうであるように雄型コネクタないし雌型コネクタの接触部材の間隔が短い場合でも、個々の接触部材、接触ピンおよび／または接触ばね、もしくはこれらのグループの十分な遮蔽が保証され、かつ、差込接続装置ないしその構成部品が少ないコストで製造可能であるようにすることである。
【０００５】
この目的は、本発明によれば、特に特徴部に記載の事項を備えることを特徴とする請求項１記載の遮蔽部を備える差込接続装置によって達成される。後続する請求項２から１０は、差込接続装置、特にその新規な遮蔽グループの、主要な構成部品の根本的に新規な構造の有利な発展例ないし変形例を開示している。
【０００６】
本発明は、遮蔽部を備える差込接続装置、特に１列または多列の有利には雄型コネクタと雌型コネクタからなる多極の差込接続装置を前提としたうえで、雄型コネクタが少なくとも１つの第1の接触部材を接触ピンの形態で有するとともに、雌型コネクタが、第1の接触部材に対応する少なくとも１つの第２の接触部材を接触ばねの形態で有している。この差込接続装置の遮蔽部は、雌型コネクタの外側の本体領域の表面または内部に少なくとも部分的に配置された遮蔽薄板と、雄型コネクタ内に配置された少なくとも１つの第１の部材を有する遮蔽グループを備えている。本発明の対象物において新規かつ本質的な点は、遮蔽グループの第１の部材が、基本形状が、いずれも完全に平らに形成された後壁と、左側の側壁と、右側の側壁とを有するＵ字型のレールである基本部分であり、該遮蔽部材は頭部領域と脚部領域でそれぞれ開いており、基本部分は雄型コネクタの台座に取り付けられ、雌型コネクタの方向に台座から上方に突き出て、少なくとも１つの接触ピンを３つの方向から囲んでいることである。
【０００８】
本発明の実施態様によれば、遮蔽グループは、雄型コネクタ内に配置された基本部分と、雌型コネクタの差込み領域内に設けられた対抗部分とで構成される。
【０００９】
有利には、さらに、遮蔽グループの対抗部分が、雌型コネクタの遮蔽薄板の１つの一体化された構成要素であることが意図される。
【００１０】
さらに、有利には、遮蔽グループの基本部分が雄型コネクタの少なくとも１つの接触ピン、特に有利には２つの接触ピンを実質的にほぼ完全に、有利には上方に向いている間隙を残しながら側方で包囲している。
本発明の利点は、特に、新規な遮蔽グループの、雄型コネクタおよび雌型コネクタのための部品が簡単な曲げ部品として製造可能であり、しかも特に遮蔽グループの部分領域を弾性領域からわずかな間隔をおいて構成可能であり、さらに、基本部分と対抗部分を基本形状から製造可能であるという点にあり、このとき、両方の部分を差込接合するとき互いに向かい合う遮蔽グループの部分領域、実質的にその上側ないし下側の端面は、構造的にわずかしか相互に異なっておらず、したがって製造コストを低く抑えることができる。さらに別の利点は、新規な遮蔽グループの基本部分を、多極かつ多列の差込接続装置に使用する場合に得られる。
【００１１】
新規な遮蔽グループの基本部材であるＵ字型の基本部分は３つの壁しか有していないが、差込接続装置が開いている場合でさえ、接触ピン、少なくとも接触ピンの後続する列にある接触ピンは、第４の遮蔽壁によっていわば全周を遮蔽される。なぜなら先行する列の１つまたは複数の基本部分の後壁が、前述した第４の遮蔽壁を構成するからである。
【００１２】
次に、本発明の実施の形態について図面を参照して説明する。このとき、各図面は概略的な図を示している。
【００１３】
図１には、雄型コネクタ３０の接触ピンに雌型コネクタ４０を差し込んでいるところを示す、雄型コネクタ／雌型コネクタで実施された、遮蔽部を備える新規な差込接続装置が示されている。図を見やすくするため、雄型コネクタ３０は本図では横向きの断面で示されている。
【００１４】
雌型コネクタ４０の上側のカバー９０は図１では部分的に破断されており、また基本部分１のうちの１つの後壁も同様であり、そのため本図では接触ピン３８の位置や、接触ばね８０、特にその前側のばね部分８１の位置がよくわかる。
【００１５】
符号８４は、雌型コネクタ４０の接触ばねの接続ラグを示している。
【００１６】
雄型コネクタ３０は、それ自体公知の態様で、台座３１と、側壁３４および３５と、この側壁３４，３５および台座３１に嵌合によって連結された前壁および後壁とで構成されている。材料と重量を削減する目的のため、側壁、前壁、および後壁は薄壁に構成されるとともに、内方に突出する、詳しくは図示しないが図１から図３には示されている、上方を向いたウェブによって安定させられている。
【００１７】
差込工程（矢印方向）で図示されている雌型コネクタ４０は、接触ばね８０のばね部分８１と接触ピン３８とが接触する直前である。雌型コネクタ４０のケーシング４１は、雄型コネクタ３０の内部で、詳しくは図示しない安定化支柱によって位置決めされる。
【００１８】
新規な差込接続装置の本実施形態のための本発明による新規な遮蔽グループは、特に、図４に示す基本部分１で構成されている。ここでは有利にＵ字型に構成されているこの基本部分１は、有利には雄型コネクタ３０に配置される。図１から図３に示すような有利な実施形態では、列をなして配置される接触ピン３８のために複数の基本部分１が設けられ、それぞれ２つの隣接する接触ピンに１つの基本部分１が割り当てられている。隣接する基本部分１の側壁は、詳しくは図示しない自由空間を形成しながら互いに間隔をおいている。基本部分１の位置に対応して、雌型コネクタ４０の上側のカバー９０には、ここには詳しくは図示しないスリットが設けられ、このスリットは差込方向と反対に、ただし差込方向に沿って上側のカバー９０に穿設されており、しかも基本部分１の長さに相当する長さで穿設されている。この図面（図１）には、さらに、前記スリットの中へ突入する、雌型コネクタ４０の遮蔽薄板７０のウェブ７２，７３および７４が見えており、ならびに、雌型コネクタ４０の基体に設けられ、上側のカバー９０に存在するスリットならびにウェブ７２，７３および７４にそれぞれ対応して延びる溝６６が見えている。雄型コネクタ３０に雌型コネクタ４０を差し込んでいる間、および差込が完了したとき、隣接する基本部分１の側壁のそれぞれ１つは、ここに図示する折曲されたウェブ７２，７３および７４の横に位置することになる。
【００１９】
次に、基本部分、ならびに新規な遮蔽グループの、雌型コネクタ４０に設けられている部分のその他の詳細な構成について、図２から図４ｃならびに図１２を参照しながら説明する。
【００２０】
図２は、接触ピン３８、ならびに新規な遮蔽グループの遮蔽をする３面の基本部分１の２つの接触ピン３８のそれぞれのグループを上から見た斜視図として、雄型コネクタ３０を示すものである。側壁は符号３４および３５で示されており、後壁は符号３７、台座は符号３１でそれぞれ示されている。雄型コネクタ３０のこの図面では、ここでは後方を向いている雄型コネクタの前側の壁は、図面のスペースを節約するために垂直断面によって切り取られている。図２の上側に示す図３では、雄型コネクタ３０が図２に対して１８０°回転している。垂直断面は、ここでは図２に対して、基本部分１の第１列の後側にきている。視線は後壁３７の内壁３６の方を向いている。台座３１には、接触ピン３８のための２つの受容穴３２のグループをそれぞれ３面で取り囲む複数のスリット３３が設けられている。これらの受容スリット３３には、それぞれ１つの基本部分１がその下側の領域６で差し込まれ、有利には係止される。
【００２１】
新規な遮蔽グループの基本部分１は、図４の詳細図に、有利な実施形態で描かれている。基本部分は、後壁２と、左側の側壁４と、右側の側壁３とを備えるＵ字型をしたレールである。頭部領域５と脚部領域６では、このレールはそれぞれ開いている。脚部領域６では、側壁３および４が頭部領域５の方向へ若干引っ込んでおり、それによって後壁２にはウェブ状の段差部７ができている。このウェブ状の段差部７の領域には、後壁２の内面に、下側のエッジの付近に少なくとも１つ、ここでは特殊な実施形態として２つの窪み８があり、この窪みには、特に、有利には雄型コネクタ３０の台座１にあるが図面には図示していない係止機構を係止することができる。側壁３および４は、頭部領域５に、側方のオフセット１６の分だけそれぞれ外方へ湾曲したそれぞれ１つのコーナー部分１０ないし１１を有している。コーナー部分１０および１１はそれぞれ曲げ線１５で外方に曲げられており、それによって、側壁３および側壁４の水平な外側エッジと垂直な外側エッジとで構成されるそれぞれ上側のコーナーが、外方のもっとも遠くに位置している。コーナー部分１０およびコーナー部分１１の上側外方の水平なエッジは、前記エッジに沿って延びる面取部１２ないし１３をそれぞれ備えている。後壁２の上側内方のエッジは、同じく面取部１４を有している。
【００２２】
遮蔽材料からなる基本部分１は、２つの接触ピン３８からなる、接触ピン３８の１列の接触グループを、３つの側からそれぞれ包囲する。
【００２３】
図２に示す実施形態では、接触ピン３８の第２の列、および接触ピン３８のその他の各々の列には、２つの接触ピン３８からなる接触ピンの各グループが、それぞれ付属のＵ字型をした基本部分１によって３つの側から遮蔽されており、４番目の側は、先行する列に配置された基本部分１の後壁２で同時に遮蔽されている。前壁３７にすぐ続く接触ピン３８の前側の列にある接触ピン３８は、４番目の側に向かって、少なくとも、差込可能な雌型コネクタ４０に設けられたケーシング遮蔽部によって遮蔽されている。
【００２４】
少なくとも雄型コネクタに前述した形態で設けられる少なくとも１つ、有利には複数の基本部分からなる、使用されている新規な遮蔽グループによって、雄型コネクタおよび雌型コネクタの、信号伝送をする接触部ないし接触部グループは、従来公知であったよりもいっそう良好に外部の電気的、磁気的、または電磁的な妨害場から遮蔽され、ないしは、電磁的な高周波振動の外部への放射が少なくとも大幅に低減する。
【００２５】
遮蔽の効果をさらに高めようとする場合、本発明はさらに、差込接続装置に付属する他のモジュール、通常は雌型コネクタ４に、新規の遮蔽部材のＵ字型の基本部分１に適合させられ、後壁２１と２つの側壁２２および２３とで構成された図４ａから図４ｃに示す対抗部材２０が設けられ、さらにこの対抗部材は、Ｕ字型のレールである基本部分１を同じくＵ字型のレールとして構成された対抗部材２０に差し込めるように寸法決めされることを意図しており、このとき、基本部分１のコーナー部分１０および１１が弾性部材のように作用して、側壁２２および２３に摩擦接合的に内側で当接し、差込工程のときこれらの側壁２２および２３に沿って摺動する。図を見やすくするため、対抗部分２０はその長軸を中心として１８０°回転した状態で描かれ、相互の嵌め合いの様子がわかるようになっている。
【００２６】
対抗部分２０の側壁２２および２３ならびに後壁２１は、その脚部領域のエッジ領域に、内側にそれぞれ１つの面取部２４，２５ないし２６を備えている。これらの面取部２４，２５および２６、ならびに基本部分１の頭部領域２に設けられた面取部１２，１３および１４は、案内面として作用して、新規な遮蔽グループの各部分の組立を容易にする。
【００２７】
本発明の要部をなす実施形態の１つの改良形では、対抗部分２０が、雌型コネクタ４０の遮蔽薄板７０の一体化された構成要素である。本発明のこの発展例は、図５から図１２に示されている。図５には、雌型コネクタ４０の一式が斜視図で描かれている。以下の記述の説明を容易にするために、図５には、雌型コネクタ４０ないしその個別部分の物体面の名称に関して３軸の方向を示す十字図が付属している。この方向十字図「ＲＫ」に配置されている記号は、次のような意味である。すなわち「Ｖ」は前方からの視線、「Ｈ」は後方からの視線、「Ｌ」は左からの視線、「Ｒ」は右からの視線、「Ｏ」は上からの視線、そして「Ｕ」は下からの視線である。
【００２８】
ケーシング４１には、雌型コネクタ４０の個々の部品が格納されている。ケーシング４１は、絶縁層と遮蔽層とを備える上側のカバー９０で閉じられている。端面側ではケーシング４１に正面部分４２が設けられており、この正面部分は、列をなして相並んで配置された複数のノズル状の導入口４３を有しており、これらの導入口４３に雄型コネクタ３０の接触ピン３８を挿入可能である。それぞれ２つめのノズル状の導入口４３の後には、後でまた詳しく説明する、正面部分４２をそれぞれ上方に向かって開く溝４４が設けられている。さらにケーシング４１の左側の部分には、図１の図面に見えるように、後側の領域に係止穴４５が設けられている。符号５５は、上側のカバー９０の位置決めと固定の役目をするピンを表している。
【００２９】
雌型コネクタ４０の側面の右側中央および右側後方の部分は、雌型コネクタ４０から右側に向かって突出する、雌型コネクタの接触案内部材の接続ラグが、配線板の表面、上、もしくは内部に取付可能な程度に、かつその配線板が取付後に有利にはケーシング４１の右側側面よりも突出しない程度に、左側に向かって引っ込んでいる。雌型コネクタの側方エッジのこのような部分的な退避の程度は、各用途について通常適用される標準値に従って決める。
【００３０】
図６には雌型コネクタ４０の基体５０、図７には本発明に基づいて新規に構成された対抗体５０に付属する遮蔽薄板７０、図８には接触ばね８０、そして図１０には雌型コネクタ４０の上側の遮蔽部が、それぞれ詳細図で示されている。
【００３１】
基体５０は、その上側の面５０ａを起点として本体に刻まれた通路５２，５３および５４を有しており、これらの通路は、接触ばね８０をこれらの通路の内部に収容できるように設定されている。通路５２から５４は、挿入された接触ばね８０のそれぞれの端部領域８４が、雌型コネクタ４０の右側の側面から突出するように、つまり前側の面６０に関して９０°オフセットされて配置されている。複数の開口部５６が設けられた前側の面６０を起点として、後方に向かって延びる前側の通路５２が続いており、これに中央の通路５３と後側の通路５４が続いている。前側の通路５２は、他の両方の通路５３および５４に比べて若干広く保たれている。なぜならこの前側の通路５２には、接触ばね８０の該当するばね部分８１が位置決めされるからである。接触ばね８０の中央部分８２は中央の通路５３の中に位置し、接触ばね８０の末端部分８３は後側の通路５４の中に位置している。末端部分８３には、端部側で後側の通路５４に設けられたピン５５に押し込まれる穴８５が設けられており、それによって接触ばね８０は同時に長手方向に固定される。
【００３２】
通路５２，５３および５４には、側方および各通路の底面に、詳しくは図示しない複数のウェブがあり、それにより、それぞれ挿入された接触ばね８０は対抗体５０に対して間隔をおいており、この対抗体５０に複数個所で、ただし点状にのみ載せられており、つまりそれによって基体と接触ばね８０の間の主要な本体領域にわたって、広い面積のエアクッションがつくられている。これに関しては図６を参照されたい。このエアクッションは、各接触ばね８０の追加的な遮蔽をもたらす。
【００３３】
さらに、基体５０には、前側の面６０を起点として、それぞれ一対の前側の通路５２の間に位置する溝６６が設けられている。相並んで延びるそれぞれ一対の通路５２，５３および５４の側方かつ平行に、スリット状の貫通孔６１，６２，６３，６４および６５が基体５０に設けられている。これらの貫通孔は、下方から上方へと貫通している。これらの貫通孔は、基体５０の下側の面５０ｂに配置された、以下においてさらに詳しく説明する遮蔽薄板７０の各部分を受け止める役目をする。基体５０には、さらに左側と右側に、同じく前記遮蔽薄板７０の各部分を受け止める役目をする側方の切欠き５７，５８および５９が設けられている。
【００３４】
前側の面６０を起点とし、主として長手方向に基体に嵌め込まれ、基体から側方に離れていく接触ばね８０によって、基体の後側の部分には接触のない領域５１が生じている。この領域５１には、図６に示すように、雌型コネクタ４０のすべての部分を取り付けた後に基体４１の係止穴４５に係止される係止フック６７が側方に設けられており、この様子は図１に示されている。雌型コネクタ４０に付属している遮蔽薄板７０は図７に図示されており、この遮蔽薄板７０はケーシング４１に挿入され、次いで基体５０がこの遮蔽薄板７０に装着される。本発明による新規な構成では、この遮蔽薄板７０に、新規な遮蔽グループの対抗部分２０が一体化される。製造技術上のコストの低減に関する本発明の課題設定を具体化するため、遮蔽薄板７０の基本部分である平坦な本体７９は、折曲して上方に突出するウェブ７１，７２，７３，７４および７５を備えている。これらのウェブ７１から７５は、平坦な本体７９を３面で連続的に打抜き、次いで、打抜きによって形成された舌部を、平坦な本体７９に対してそれぞれ約９０°となる位置（平面）に曲げることによって得られる。これらのウェブの位置ならびに寸法は、その都度の雌型コネクタ４０の所与の条件に従って決められ、該当する雌型コネクタ４０の基体５０にあるスリット状の貫通孔６１から６５、ないしは側方の切欠き５７から５９に対応するように配置される。したがって、それぞれ平坦な本体７９の隣接するウェブないしウェブ列、およびこれらの間にある部分は、新規に構成された遮蔽グループに対する対抗部分２０を構成する。つまりこの対抗部分２０は、ウェブ７１と、ウェブ７２と、これらの間にある、平坦な本体７９の領域とで構成されるとともに、ウェブ７２および７３、ウェブ７３および７４、ならびにウェブ７４および７５と、それぞれこれらのウェブの間にある、平坦な本体７９の領域とによって構成されている。遮蔽薄板７０は、右側の中央および後側の領域に、その場所へ取付可能な図面には示していない配線板との接触の役目をする、切欠き７８によって互いに分離された突起７７を有している。
【００３５】
図９は、基体５０の下側に遮蔽薄板７０が配置され、接触ばね８０が、基体５０にある通路５２から５４に挿入されている図面を示している。この図面からわかるように、遮蔽薄板７０のウェブ７１から７５は、基体５０に設けられたスリット状の貫通孔６１から６５ないし側方の切欠き５７から５９に突入し、それによって接触ばね８０は実質的にその長手領域全体にわたって遮蔽され、ないしは、ここでは２つの接触ばね８０からなる接触ばね８０のグループは、下側と上側の遮蔽部に加えて側方でも遮蔽されている。
【００３６】
図１０には、雌型コネクタ４０の上側のカバー９０の詳細が示されている。中央および後側の右側部分には、個数と位置に関して基体５０のピン５５に対応している穴５４が設けられている。端面からは、側方のエッジに対して実質的に平行に、スリット９１，９２および９３が上側のカバー９０の本体に切れ込んでいる。これらのスリット９１から９３は基体５０の溝６６に対応しており、これらの溝６６の幅および長さとほぼ正確に等しくなっている。
【００３７】
図１１は、接触部材と新規な遮蔽グループの部材とが、差込工程の直前の状態にある図面を示しており、雄型コネクタと雌型コネクタのその多の構成部品は、図を見やすくするために図示していない。図５の図面に対し、ここで想定されている雌型コネクタ４０はここでは１８０°回転させられており、それによって図５に示す雌型コネクタ４０の右側は、この図１２では左側にきている。この図では、それぞれ２つの接触ピン３８を遮蔽する複数の基本部分１を見ることができる。隣接する基本部分１の互いに向き合って位置する側壁は、遮蔽薄板７０に、つまりその折曲されたウェブ７１，７２，７３，７４ないし７５に接触している。差込が完全に終わった後、差込接続装置の互いに接続されている接触部材、すなわち接触ピン３８とそれぞれ付属の接触ばね８０とは対をなして、基本部分１によって、および遮蔽部材の、相応に位置する同じくＵ字型に構成された領域によって、完全に覆われる。このように遮蔽された差込は、図１２に示されている。ここでは、差し込まれた接触部が接触領域で横向きに切り取られており、本図は差込接続装置の部分図である。図に見えているのは、平坦な本体７９と折曲されたウェブ７１から７５を備える遮蔽薄板の領域、基体５０の領域、上側のカバー９０の領域、基本部分１、接続ピン３８、前側の通路５２、ケーシング４１の部分領域４２，４３、スリット９１，９２および９３の部分領域、ならびに溝６６であり、さらに、内部の遮蔽の効果に関しては心配のない、折曲されたウェブによって平坦な本体７９に生じた開口部７９ａも見えている。接触ピン３８、ないし接触ピン３８のそれぞれのグループは、新規な遮蔽グループによって、つまり遮蔽薄板７０の平坦な本体７９の該当する領域によって、および隣接する２つの折曲されたウェブ、たとえばウェブ７１およびウェブ７２によって、ならびにこれらの間に押込み可能な基本部分１、すなわちその側壁３および４ならびにその後壁２によって、他の接触ピン３８ないし接触ピン３８の他のグループに対して遮蔽工学的に隔絶されている。
【００３８】
図１３から１８には、本発明の基本思想のさらに別の有利な実施形態が示されている。しかもこれらの図面には、別の２列の雌型コネクタ４００が、さまざまな斜視図とさまざまな組立段階で示されている。図４の場合と同じく、視線の方向を規定する方向十字図が図１３にも付してある。
【００３９】
図１３は、別の雌型コネクタ４００を組み立てられた状態で示している。ただし図を見やすくするため、接触ばねの列は、付属の基体および遮蔽薄板ともども図示されていない。別の雌型コネクタ４００は、前側のケーシング部分４０１と、後側のケーシング部分４１０と、さらに別の２つの基体５００とで構成されている。基体５００は、それぞれ１列の接触ばね８０を、付属の遮蔽薄板および上側の遮蔽部ともども受容している。この別の雌型コネクタ４００の右側の中央および後側の領域は、雌型コネクタ４０の場合とまったく同様に、左方へ向かって若干引っ込んでおり、その目的はやはり配線板を取り付けるためである。
【００４０】
左側４１１には、後側のケーシング部分４１０に、両方の別の基体５００の一方のそれぞれ中央の係止フック５０７を係止することのできる２つの係止穴４１９がある。さらに、それぞれの係止穴の手前には、前側のケーシング部分４０１の方向に、後側のケーシング部分４１０の前側端面を貫通して別の基体５００のラグ５０６を受け止める役目をするそれぞれ１つのプロフィル溝４１８がある。後側の壁４１２は、別の基体５００の後側の本体面５０１を実質的に覆い、目的に合わせて成形された内部の形態によって、別の基体５００を第２の位置に固定するので、この別の基体は、本体点５０６，５０７によってばかりでなく、後側のケーシング４１０の前側に位置する本体点４１８，４１９との関連でも固定される。別の詳細図が図１４，１６，１７および１８に示されている。この雌型コネクタ４００では、すでに前述した雌型コネクタ４０で適用されているのと同じ接触ばね８０、および同じ遮蔽薄板７０が使用されている。接触ばね８０を収容するための通路５１から５３も、同じ形式で構成されている。雌型コネクタ４０に対して、この別の雌型コネクタ４００では、その別の基体５００がケーシングならびに係止に関して別の形式で構成されている。ケーシングは後側のケーシング部分４１０および前側のケーシング部分４０１に、つまり２つの別個のケーシング部分に分割されており、それによって少なくとも製造技術上の利点が生じている。
【００４１】
前側のケーシング部分４０１は、図１５に詳細が図示されている。このケーシング部分は、列をなして相並んで配置された同じくノズル状の導入口４３を有するとともに導入口４３をそれぞれ２つの導入口のグループに分割する溝４４を有する正面４２を有している。さらに、正面部分４２には、左側の側方部分４０４から右側の側方部分４０５まで達し、導入口４３の両方の列の間で平行にオフセットされて配置された横方向スリット４０２が設けられている。溝４４とともに、この横方向スリット４０２は、雄型コネクタ３０に列をなして配置された基本部分１の差込を可能にする。一式の装備を備えた別の基体５００を案内して前側の側方で位置決めするために、前側のケーシング部分４０１には、内側に、列をなして互いに間隔をおいている複数のストッパ４０７が設けられており、ならびに側方部分４０４および４０５の内部領域には凹部４０８および４０９が刻設されている。別の基体５００と係止するため、さらに側方部分４０４および４０５には、差込組立の後に別の基体５００の係止フック５０４および５０５が係止される係止穴４０６が設けられている。
【００４２】
図１６および図１４ならびに図１８には、別の構成部品に加えて、一式の装備を備える基体５００が描かれている。この別の基体５００の内側の部分、つまり接触ばね８０、遮蔽薄板７０、ならびに実質的に基体すなわち接触ばね８０を収容する領域は、前述した雌型コネクタ４０の該当する領域と同じなので、これらの詳細はここでは詳しくは説明しない。基体５００は左側ないし右側に、その各々の前側の領域において、左側の係止フック５０４と付属のラグ５０６、ならびに中央の係止フック５０７を備えており、右側には右側の係止フック５０４と付属の案内ピン５０８とを有している。後側の接触のない領域では、上側の面５００ａおよび下側の面５００ｂを起点として、本体の後側の本体面５０１を貫通する溝５０２および５０３が本体５００に設けられている。別の基体５００の、挿入された接触ばねを含めた上方からの閉止は、別の上側のカバー９００が引き受ける。この別の上側のカバー９００は、後側の傾斜した本体エッジ９０３を有している。別の上側のカバーは、詳しくは図示しない周囲の縁部を備えており、この縁部は、遮蔽部分９０２が中に収容される、このカバー９００の詳しくは図示しない凹部を完全に包囲している。この凹部は、この遮蔽部の周囲の縁部が若干突出するように選択され、それにより、別の基体５００が相並んで配置されて一式の装備を備えている場合、隣接して位置する遮蔽部分９０２の間には本体の接触が生じ得ない。別の上側のカバー９００は、絶縁を行う作用を有している。接触ばね８０の前側の領域、つまりばね部分８１も、他の接触部に対して絶縁されるようにするため、別の上側のカバー９００は、前側のケーシング部分４０１の正面部分４２の内側にまで突出する、相応の数のウェブ状の側板を有している。図１４では、これらの側板９０１は図示されている基本部分１で覆われており、この基本部分１は、接触ばね８０の前側領域の電気的な遮蔽を完全なものにしている。
【００４３】
図１６に示す図面では、前側のケーシング部分４０１が別の基体５００に取り付けられており、このとき、係止フック５０４および５０５が該当する係止穴４０６に係止されている。図１７では後側のケーシング部分４０１が斜視図で示されており、観察者の視線は前から後へ通過して、この後側のケーシング部分４１０をのぞき込む。後壁４１２から、左側の壁４１１と、下側の壁４１３と、上側の壁４１４と、下側と上側の壁の間の中央に配置されたリブ４１５とが、前方に突出している。別の上側のカバーの傾斜した本体エッジ９０３の延びに対応するように、これらの壁４１３，４１４および４１５の前側の面は成形されている。左側の壁４１１のほうに向かって、壁４１３，４１４および４１５の内側に案内条片４１７ないし４１６が設けられている。後側のケーシング部分４１０を装着するとき、これらの案内条片４１６および４１７は溝４０２ない４０３の中に押込まれて、別の基体５００をこの後側の領域でも固定する。公知の雌型コネクタの構造に対して、このような固定は新規である。別の基体５００の下側の面５００ｂには、別の上側のカバーの傾斜した本体エッジ９０３と同じく、後側のケーシング部分４１０の下側の壁４１３と対応する案内ウェブ５０９が設けられている。別の基体５００の下側の面５００ｂは、接触ばねを収容する通路の領域に、遮蔽薄板７０の折曲したウェブをを通すための貫通穴を備えるとともに、案内ウェブ５０９の領域に、遮蔽薄板７０を受け止める凹部を備えているので、外側の下側の面５００ｂは、側方で見て、遮蔽薄板７０の外側の面から突出することになる。
【００４４】
図１８では、前側のケーシング部分４０１に、装備を備えた別の基体５００が差し込まれて係止されている。後側のケーシング部分４０１は、別の雌型コネクタ４００を組み付けるために、前側のケーシング部分の方向へ前方に押される。図を見やすくするため、第２の別の基体５００は図示していない。図からはっきり認められるように、別の基体５００の後側の本体面５０１は、下側の壁４１３と中央に配置されたリブ４１５との間で、後側のケーシング部分４１０に押し込まれる。完了した係止も含めて完全に装着された後側のケーシング部分４１０は、すでに説明した図１３に見ることができる。下側の壁４１３および上側の壁４１４の厚さは、これらの外側の面が、装備を備えた別の基体５００の外側の面と同一平面上に位置するように、ないしこの面のやや外側に位置するように選択し、それによって、この実施形態に基づいて多列の複数の雌型コネクタを並列するとき、ないしは、たとえば図５に示すような他の１列の雌型コネクタと並置するときに、差し込まれた雌型コネクタが状況によっては横方向で目標位置からはみ出して運動する場合、状況によっては絶縁作用をもつケーシング部分だけを並置ないし突き合せることができるようにする。
【００４５】
以上の説明で述べたすべての構成要件、ならびに図面にのみ見られるすべての構成要件は、たとえそれが特に強調されていない場合、特に特許請求の範囲に記載されていない場合であっても、本発明のさらなる構成要件である。
【００４６】
本発明は、上述した実施形態に限定されるものではなく、開示の枠内でさまざまに変えることができる。
【図面の簡単な説明】
【図１】  雄型コネクタの接触ピンに雌型コネクタを差し込んでいるところを示す、雄型コネクタと雌型コネクタで造られた新規な差込接続装置である。
【図２と図３】  新規な遮蔽グループの部材を備えている、差込接続装置の公知の雄型コネクタである。
【図４から図４ｃ】  基本部分と、これに対応する対抗部分とで構成された新規な遮蔽グループである。
【図４】  ここでは直立した斜視図で示されている、新規な遮蔽グループの基本部分である。
【図４ａから図４ｃ】  差込中のさまざまな段階における基本部分と対抗部分である。
【図５】  新規な差込接続装置のための雌型コネクタを示す斜視図である。
【図６】  有利な変形例における、図５の新規な雌型コネクタための基体である。
【図７】  新規な遮蔽部の基本部分が一体化された、図６の基体に付属する遮蔽薄板である。
【図８】  図５に示す雌型コネクタのための接触ばねである。
【図９】  図５に示す雌型コネクタのための基体と、下方からこれに当接して差し込まれた遮蔽薄板、ならびに基体に挿入された接触ばねである。
【図１０】  図５に示す雌型コネクタのための特殊なカバーである。
【図１１】  差込工程の直前の状態における、図１に示す新規な差込接続装置の接触と遮蔽部材であり、雄型コネクタおよび雌型コネクタのその他の構成部品は図示していない。
【図１２】  雌型コネクタが完全に差し込まれた状態の、図１に示す新規な差込接続装置を示す部分断面図である。
【図１３から図１８】  新規に構成された遮蔽部を備える雌型コネクタ、有利には２列の雌型コネクタのためのさらに別の新規な変形例である。
【図１３】  ２列の雌型コネクタを下側から見た斜視図である。
【図１４】  両側に遮蔽部材が配置された、図１３の雌型コネクタの両方の基体のうちの一方である。
【図１５】  ２列の雌型コネクタの前側のケーシング部分を示す斜視図である。
【図１６】  基体が差し込まれて両側で覆われた状態の、図１５に示す前側のケーシング部分である。
【図１７】  図１３に示す２列の雌型コネクタの後側のケーシング部分である。
【図１８】  組立のための差込工程中における、２列の雌型コネクタの各部分を示す斜視図である。
【符号の説明】
１  ケーシング部分（Ｕ字型のレール）
２  後壁
３，４  側壁
５  頭部領域
６  脚部領域
７  ウェブ状の段差部
８  窪み
９  上側の端部領域
１０，１１  コーナー部分
１２  面取部（符号１０の上側の外側の水平なエッジ）
１３  面取部（符号１１の上側の外側の水平なエッジ）
１４  面取部（符号２の上側の内側のエッジ）
１５  曲げ線
１６  側方のオフセット
１７  厚さ（符号２，３および４）
２０  対抗部分
２１  後壁
２２，２３  側壁
２４  面取部（符号２２の下側の内側のエッジ）
２５  面取部（符号２１の下側の内側のエッジ）
２６  面取部（符号２３の下側の内側のエッジ）
３０  雄型コネクタ
３１  台座
３２  受容穴（符号３８の接触ピンのための）
３３  受容スリット（符号１の対抗部分のための）
３４，３５  側壁
３６  内壁（符号３７の）
３７  後壁
３８  接触ピン
４０  雌型コネクタ
４１  ケーシング
４２  正面部分
４３  ノズル状の導入口
４４  溝
４５  係止穴
５０  基体
５０ａ  上側の面
５０ｂ  下側の面
５１  接触のない領域
５２  前側の通路
５３  中央の通路
５４  後側の通路
５５  ピン
５６  開口部
５７，５８および５９  側方の切欠き
６０  前側の面
６１  スリット状の貫通孔
６２  スリット状の貫通孔
６３  スリット状の貫通孔
６４  スリット状の貫通孔
６５  スリット状の貫通孔
６６  溝
６７  係止フック
７０  遮蔽薄板
７１  折曲したウェブ
７２  折曲したウェブ
７３  折曲したウェブ
７４  折曲したウェブ
７５  折曲したウェブ
７６  隆起部
７７  突起
７８  切欠き
７８ａ  案内ピン
７９  平坦な本体
７９ａ  開口部
８０  接触ばね
８１  ばね部分
８２  中央部分
８３  末端部分
８４  接続ラグ
８４ａ  接続ピン（押込みピン）
８５  穴
９０  上側のカバー（絶縁層と遮蔽層を備える）
９１，９２および９３  スリット
９４  穴
４００  別の雌型コネクタ
４０１  前側のケーシング部分
４０２  横方向スリット
４０３  ウェブ
４０４  左側の側方部分
４０５  右側の側方部分
４０６  係止穴
４０７  ストッパ
４０８，４０９  凹部
４１０  後側のケーシング部分
４１１  左側の壁
４１２  後側の壁
４１３  下側の壁
４１４  上側の壁
４１５  リブ
４１６，４１７  案内条片
４１８  プロフィル溝
４１９  係止穴
５００  別の基体
５００ａ  上側の面
５００ｂ  下側の面
５０１  後側の本体面
５０２  溝（符号５０ａの）
５０３  溝（符号５０ｂの）
５０４  左側の係止フック
５０５  右側の係止フック
５０６  ラグ
５０７  中央の係止フック
５０８  案内ピン
５０９  案内ウェブ
９００  別の上側のカバー
９０１  ウェブ状の側板（符号９００に一体化、絶縁性）
９０２  遮蔽部分
９０３  傾斜した本体エッジ
Ｒｋ  本体面に関する方向付けのための方向十字図
Ｖ  前
Ｈ  後
Ｌ  左
Ｒ  右
Ｏ  上
Ｕ  下
【図１】
0004184660.tif 000002
【図２】
0004184660.tif 000003
【図３】
0004184660.tif 000004
【図４】
0004184660.tif 000005
【図４ａ】
0004184660.tif 000006
【図４ｂ】
0004184660.tif 000007
【図４ｃ】
0004184660.tif 000008
【図５】
0004184660.tif 000009
【図６】
0004184660.tif 000010
【図７】
0004184660.tif 000011
【図８】
0004184660.tif 000012
【図９】
0004184660.tif 000013
【図１０】
0004184660.tif 000014
【図１１】
0004184660.tif 000015
【図１２】
0004184660.tif 000016
【図１３】
0004184660.tif 000017
【図１４】
0004184660.tif 000018
【図１５】
0004184660.tif 000019
【図１６】
0004184660.tif 000020
【図１７】
0004184660.tif 000021
【図１８】
0004184660.tif 000022